【手続補正書】
【提出日】平成18年9月4日(2006.9.4)
【手続補正１】
【補正対象書類名】明細書
【補正対象項目名】発明の名称
【補正方法】変更
【補正の内容】
【発明の名称】画像処理装置、画像処理方法、画像処理プログラムおよび記憶媒体
【手続補正２】
【補正対象書類名】明細書
【補正対象項目名】特許請求の範囲
【補正方法】変更
【補正の内容】
【特許請求の範囲】
【請求項１】入力画像を取得する画像入力手段と、
それぞれが異なる方向性を有する複数の方向性フィルタを用いて、前記入力画像の任意の空間周波数成分に対する空間周波数補正を前記方向性フィルタが有する方向性によって定められる方向毎に独立して行ない第１の補正画像を得る第１の空間周波数補正手段と、
方向性に依存せず前記方向性フィルタの周波数特性とは異なる周波数特性を有する単一のフィルタを用いて、前記入力画像の前記第１の空間周波数補正手段が空間周波数補正を行なう空間周波数とは異なる空間周波数成分に対する空間周波数補正を行ない第２の補正画像を得る第２の空間周波数補正手段と、
前記第１の補正画像と前記第２の補正画像とを合成する画像合成手段と、
を具備する画像処理装置。
【請求項２】前記第１の空間周波数補正手段による空間周波数補正と前記第２の空間周波数補正手段による空間周波数補正とを並列して行なう請求項１記載の画像処理装置。
【請求項３】前記方向性フィルタの周波数特性は、前記単一のフィルタの周波数特性よりも高いことを特徴とする請求項１または２記載の画像処理装置。
【請求項４】前記方向性フィルタの方向性に沿って、前記入力画像の特徴量を取得する特徴量取得手段と、
前記特徴量に応じて前記第１の補正画像に空間周波数補正を行なう第３の空間周波数補正手段と、
を具備する請求項１ないし３のいずれか一に記載の画像処理装置。
【請求項５】前記特徴量を取得した方向毎に該特徴量の最大値を取得する最大値取得手段と、
前記最大値に応じて前記第２の補正画像に空間周波数補正を行なう第４の空間周波数補正手段と、
を具備する請求項４記載の画像処理装置。
【請求項６】前記方向性フィルタの方向性に沿って、前記入力画像の特徴量を取得する特徴量取得手段と、
前記特徴量を取得した方向毎に該特徴量の最大値を取得する最大値取得手段と、
前記最大値に応じて前記第２の補正画像に空間周波数補正を行なう第４の空間周波数補正手段と、
を具備する請求項１ないし３のいずれか一に記載の画像処理装置。
【請求項７】前記特徴量取得手段は、微分フィルタによって前記入力画像のエッジ量を前記特徴量として取得する請求項４ないし６のいずれか一に記載の画像処理装置。
【請求項８】入力画像を取得し、
それぞれが異なる方向性を有する複数の方向性フィルタを用いて、前記入力画像の任意の空間周波数成分に対する空間周波数補正を前記方向性フィルタが有する方向性によって定められる方向毎に独立して行ない第１の補正画像を取得し、
方向性に依存せず前記方向性フィルタの周波数特性とは異なる周波数特性を有する単一のフィルタを用いて、前記入力画像の前記第１の空間周波数補正手段が空間周波数補正を行なう空間周波数とは異なる空間周波数成分に対する空間周波数補正を行ない第２の補正画像を取得し、
前記第１の補正画像と前記第２の補正画像とを合成することを特徴とする画像処理方法。
【請求項９】請求項８に記載の画像処理方法をコンピュータに実行させるための画像処理プログラム。
【請求項１０】請求項９に記載の画像処理プログラムを記憶したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、画像処理装置、画像処理方法、画像処理プログラムおよび記憶媒体に関する。
【手続補正４】
【補正対象書類名】明細書
【補正対象項目名】０００９
【補正方法】変更
【補正の内容】
【０００９】
【課題を解決するための手段】
請求項１記載の発明の画像処理装置は、入力画像を取得する画像入力手段と、それぞれが異なる方向性を有する複数の方向性フィルタを用いて、前記入力画像の任意の空間周波数成分に対する空間周波数補正を前記方向性フィルタが有する方向性によって定められる方向毎に独立して行ない第１の補正画像を得る第１の空間周波数補正手段と、方向性に依存せず前記方向性フィルタの周波数特性とは異なる周波数特性を有する単一のフィルタを用いて、前記入力画像の前記第１の空間周波数補正手段が空間周波数補正を行なう空間周波数とは異なる空間周波数成分に対する空間周波数補正を行ない第２の補正画像を得る第２の空間周波数補正手段と、前記第１の補正画像と前記第２の補正画像とを合成する画像合成手段と、を具備する。
【手続補正５】
【補正対象書類名】明細書
【補正対象項目名】００１０
【補正方法】変更
【補正の内容】
【００１０】
したがって、方向毎の空間周波数補正と方向性に依存しない空間周波数補正とを組み合わせ、入力画像の空間周波数特性に応じて、方向毎に空間周波数補正を行なったり方向性に依存しない空間周波数補正を行なったりすることができるので、方向毎に空間周波数補正を行なう空間周波数を適宜設定することによりハード規模の増大を抑えるとともに、解像性および鮮鋭性の良好な画像を得ることができる。
【手続補正６】
【補正対象書類名】明細書
【補正対象項目名】００１４
【補正方法】変更
【補正の内容】
【００１４】
したがって、一般的に、方向毎に空間周波数補正を行なうとマトリクスサイズの大きいフィルタが必要となる入力画像の低周波数成分の空間周波数補正を単一のフィルタで行なうことにより、ハード規模の増大を効果的に抑えることができる。
【手続補正７】
【補正対象書類名】明細書
【補正対象項目名】００１５
【補正方法】変更
【補正の内容】
【００１５】
請求項４記載の発明は、請求項１ないし３のいずれか一に記載の画像処理装置において、前記方向性フィルタの方向性に沿って、前記入力画像の特徴量を取得する特徴量取得手段と、前記特徴量に応じて前記第１の補正画像に空間周波数補正を行なう第３の空間周波数補正手段と、を具備する。
【手続補正８】
【補正対象書類名】明細書
【補正対象項目名】００１６
【補正方法】変更
【補正の内容】
【００１６】
したがって、第１の空間周波数補正手段により方向毎に空間周波数補正した第１の補正画像を、方向性フィルタの方向性に沿って取得した特徴量に応じて空間周波数補正することにより、入力画像の特徴を損なうことなく、解像性および鮮鋭性の良好な画像を得ることができる。
【手続補正９】
【補正対象書類名】明細書
【補正対象項目名】００１７
【補正方法】変更
【補正の内容】
【００１７】
請求項５記載の発明は、請求項４記載の画像処理装置において、前記特徴量を取得した方向毎に該特徴量の最大値を取得する最大値取得手段と、前記最大値に応じて前記第２の補正画像に空間周波数補正を行なう第４の空間周波数補正手段と、を具備する。
【手続補正１０】
【補正対象書類名】明細書
【補正対象項目名】００１８
【補正方法】変更
【補正の内容】
【００１８】
したがって、第２の空間周波数補正手段により空間周波数補正した第２の補正画像を、方向性フィルタの方向性に沿って取得した特徴量の最大値に応じて空間周波数補正することにより、例えば、入力画像の低周波数成分を第２の空間周波数補正手段によって空間周波数補正する場合にも、ハード規模の増大を効果的に抑えながら、入力画像の特徴を損なうことなく、解像性および鮮鋭性の良好な画像を得ることができる。
【手続補正１１】
【補正対象書類名】明細書
【補正対象項目名】００１９
【補正方法】変更
【補正の内容】
【００１９】
請求項６記載の発明は、請求項１ないし３のいずれか一に記載の画像処理装置において、前記方向性フィルタの方向性に沿って、前記入力画像の特徴量を取得する特徴量取得手段と、前記特徴量を取得した方向毎に該特徴量の最大値を取得する最大値取得手段と、前記最大値に応じて前記第２の補正画像に空間周波数補正を行なう第４の空間周波数補正手段と、を具備する。
【手続補正１２】
【補正対象書類名】明細書
【補正対象項目名】００２０
【補正方法】変更
【補正の内容】
【００２０】
したがって、第２の空間周波数補正手段により空間周波数補正した第２の補正画像を、方向性フィルタの方向性に沿って取得した特徴量の最大値に応じて空間周波数補正することにより、例えば、入力画像の低周波数成分を第２の空間周波数補正手段によって空間周波数補正する場合にも、入力画像の特徴を損なうことなく、ハード規模の増大を効果的に抑えることができる。
【手続補正１３】
【補正対象書類名】明細書
【補正対象項目名】００２１
【補正方法】変更
【補正の内容】
【００２１】
請求項７記載の発明は、請求項４ないし６のいずれか一に記載の画像処理装置において、前記特徴量取得手段は、微分フィルタによって前記入力画像のエッジ量を前記特徴量として取得する。
【手続補正１４】
【補正対象書類名】明細書
【補正対象項目名】００２３
【補正方法】変更
【補正の内容】
【００２３】
請求項８記載の発明の画像処理方法は、入力画像を取得し、それぞれが異なる方向性を有する複数の方向性フィルタを用いて、前記入力画像の任意の空間周波数成分に対する空間周波数補正を前記方向性フィルタが有する方向性によって定められる方向毎に独立して行ない第１の補正画像を取得し、方向性に依存せず前記方向性フィルタの周波数特性とは異なる周波数特性を有する単一のフィルタを用いて、前記入力画像の前記第１の空間周波数補正手段が空間周波数補正を行なう空間周波数とは異なる空間周波数成分に対する空間周波数補正を行ない第２の補正画像を取得し、前記第１の補正画像と前記第２の補正画像とを合成する。
【手続補正１５】
【補正対象書類名】明細書
【補正対象項目名】００２４
【補正方法】変更
【補正の内容】
【００２４】
したがって、方向毎の空間周波数補正と方向性に依存しない空間周波数補正とを組み合わせ、入力画像の空間周波数特性に応じて、方向毎に空間周波数補正を行なったり方向性に依存しない空間周波数補正を行なったりすることができるので、方向毎に空間周波数補正を行なう空間周波数を適宜設定することによりハード規模の増大を抑えるとともに、解像性および鮮鋭性の良好な画像を得ることができる。
【手続補正１６】
【補正対象書類名】明細書
【補正対象項目名】００２５
【補正方法】変更
【補正の内容】
【００２５】
請求項９記載の発明の画像処理プログラムは、請求項８に記載の画像処理方法をコンピュータに実行させる。
【手続補正１７】
【補正対象書類名】明細書
【補正対象項目名】００２６
【補正方法】変更
【補正の内容】
【００２６】
したがって、請求項８記載の発明の作用を得ることができる。
【手続補正１８】
【補正対象書類名】明細書
【補正対象項目名】００２７
【補正方法】変更
【補正の内容】
【００２７】
請求項１０記載の発明の記憶媒体は、請求項９に記載の画像処理プログラムをコンピュータに読み取り可能に記憶する。
【手続補正１９】
【補正対象書類名】明細書
【補正対象項目名】００２８
【補正方法】変更
【補正の内容】
【００２８】
したがって、請求項９記載の発明の作用を得ることができる。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】０１０７
【補正方法】変更
【補正の内容】
【０１０７】
【発明の効果】
請求項１記載の発明の画像処理装置によれば、方向毎の空間周波数補正と方向性に依存しない空間周波数補正とを組み合わせ、入力画像の空間周波数特性に応じて、方向毎に空間周波数補正を行なったり方向性に依存しない空間周波数補正を行なったりすることができるので、方向毎に空間周波数補正を行なう空間周波数を適宜設定することによりハード規模の増大を抑えるとともに、解像性および鮮鋭性の良好な画像を得ることができる。
【手続補正３１】
【補正対象書類名】明細書
【補正対象項目名】０１０９
【補正方法】変更
【補正の内容】
【０１０９】
請求項３記載の発明によれば、請求項１または２記載の画像処理装置において、一般的に、方向毎に空間周波数補正を行なうとマトリクスサイズの大きいフィルタが必要となる入力画像の低周波数成分の空間周波数補正を単一のフィルタで行なうことにより、ハード規模の増大を効果的に抑えることができる。
【手続補正３２】
【補正対象書類名】明細書
【補正対象項目名】０１１０
【補正方法】変更
【補正の内容】
【０１１０】
請求項４記載の発明によれば、請求項１ないし３のいずれか一に記載の画像処理装置において、第１の空間周波数補正手段により方向毎に空間周波数補正した第１の補正画像を、方向性フィルタの方向性に沿って取得した特徴量に応じて空間周波数補正することにより、入力画像の特徴を損なうことなく、解像性および鮮鋭性の良好な画像を得ることができる。
【手続補正３３】
【補正対象書類名】明細書
【補正対象項目名】０１１１
【補正方法】変更
【補正の内容】
【０１１１】
請求項５記載の発明によれば、請求項４記載の画像処理装置において、第２の空間周波数補正手段により空間周波数補正した第２の補正画像を、方向性フィルタの方向性に沿って取得した特徴量の最大値に応じて空間周波数補正することにより、例えば、入力画像の低周波数成分を第２の空間周波数補正手段によって空間周波数補正する場合にも、ハード規模の増大を効果的に抑えながら、入力画像の特徴を損なうことなく、解像性および鮮鋭性の良好な画像を得ることができる。
【手続補正３４】
【補正対象書類名】明細書
【補正対象項目名】０１１２
【補正方法】変更
【補正の内容】
【０１１２】
請求項６記載の発明によれば、請求項１ないし３のいずれか一に記載の画像処理装置において、第２の空間周波数補正手段により空間周波数補正した第２の補正画像を、方向性フィルタの方向性に沿って取得した特徴量の最大値に応じて空間周波数補正することにより、例えば、入力画像の低周波数成分を第２の空間周波数補正手段によって空間周波数補正する場合にも、入力画像の特徴を損なうことなく、ハード規模の増大を効果的に抑えることができる。
【手続補正３５】
【補正対象書類名】明細書
【補正対象項目名】０１１３
【補正方法】変更
【補正の内容】
【０１１３】
請求項７記載の発明によれば、請求項４ないし６のいずれか一に記載の画像処理装置において、微分フィルタによって取得される入力画像のエッジ量を特徴量として取得することにより、入力画像のエッジを鈍らせることなく、画質の良好な画像を得ることができる。
【手続補正３６】
【補正対象書類名】明細書
【補正対象項目名】０１１４
【補正方法】変更
【補正の内容】
【０１１４】
請求項８記載の発明の画像処理方法によれば、方向毎の空間周波数補正と方向性に依存しない空間周波数補正とを組み合わせ、入力画像の空間周波数特性に応じて、方向毎に空間周波数補正を行なったり方向性に依存しない空間周波数補正を行なったりすることができるので、方向毎に空間周波数補正を行なう空間周波数を適宜設定することによりハード規模の増大を抑えるとともに、解像性および鮮鋭性の良好な画像を得ることができる。
【手続補正３７】
【補正対象書類名】明細書
【補正対象項目名】０１１５
【補正方法】変更
【補正の内容】
【０１１５】
請求項９記載の発明の画像処理プログラムによれば、請求項８記載の発明の作用を得ることができる。
【手続補正３８】
【補正対象書類名】明細書
【補正対象項目名】０１１６
【補正方法】変更
【補正の内容】
【０１１６】
請求項１０記載の発明の記憶媒体によれば、請求項９記載の発明の作用を得ることができる。
【手続補正３９】
【補正対象書類名】明細書
【補正対象項目名】０１１７
【補正方法】削除
【補正の内容】
【手続補正４０】
【補正対象書類名】明細書
【補正対象項目名】０１１８
【補正方法】削除
【補正の内容】
【手続補正４１】
【補正対象書類名】明細書
【補正対象項目名】０１１９
【補正方法】削除
【補正の内容】
【手続補正４２】
【補正対象書類名】明細書
【補正対象項目名】０１２０
【補正方法】削除
【補正の内容】
【手続補正４３】
【補正対象書類名】明細書
【補正対象項目名】０１２１
【補正方法】削除
【補正の内容】